(57)【要約】本発明は、特定の研究者を必要としないという特徴を含む、モバイル通信を介してデータを収集かつ終了するための新しく改良された方法を提供する（図４の無線応答）。リアルタイムのデータは、ユーザ（４２）に、さらにリアルタイムで、研究結果を送信、収集および処理し、かつ終了する。本発明はまた、データをより速く送信および収集するための新しく改良された方法を開示する。これは、さらに効率的でありかつ低コストであり、調査および研究に関連した技術的な問題を打開し、さらに応答者のプロファイル（４４）の大幅な改良を可能にさせる。【選択図】図１
2004537123.tif 000002
【特許請求の範囲】
【請求項１】
無線通信デバイスにおいて、メモリに格納されたシステムソフトウェアを更新するための方法であって、該方法は、
複数の現在のコードセクションに該無線デバイスのためのシステムソフトウェアを格納するステップと、
新しいコードセクションを受信するステップと、
該無線デバイスのための更新されたシステムソフトウェアを形成するために現在のコードセクションを用いて該新しいコードセクションを配置するステップと、
該更新されたシステムソフトウェアを実行するステップと
を包含する、方法。
【請求項２】
更新するために第１のコードセクションを識別するステップをさらに包含し、
更新されたシステムソフトウェアを形成するために現在のコードセクションを用いて前記新しいコードセクションを配置するステップは、該新しいコードセクションで該第１のコードセクションを置き換えるステップを包含する、請求項１に記載の方法。
【請求項３】
前記更新されたシステムソフトウェアを実行するステップは、該更新されたシステムソフトウェアを実行する際に前記新しいコードセクションを用いるステップを包含する、請求項２に記載の方法。
【請求項４】
第１の複数のシンボルライブラリに前記システムソフトウェアを形成するステップであって、各シンボルライブラリは、少なくとも１つのシンボルを含む、ステップと、
第２の複数のコードセクションに該第１の複数のシンボルライブラリを配置するステップと
をさらに包含する、請求項１に記載の方法。
【請求項５】
第１の複数のシンボルライブラリにシステムソフトウェアを形成するステップは、関連した機能を有するシンボルを含む各シンボルライブラリを含む、請求項４に記載の方法。
【請求項６】
新しいコードセクションを受信するステップは、無線通信デバイスのエアインターフェースを介して該新しいコードセクションを受信するステップを包含する、請求項５に記載の方法。
【請求項７】
第１の複数のシンボルライブラリにシステムソフトウェアを形成するステップは、複数のシンボルライブラリのためのリード−ライトデータを形成するステップを包含し、
第２の複数のコードセクションに該第１の複数のシンボルライブラリを配置するステップは、共有されたリード−ライトコードセクションに該リード−ライトデータを配置するステップを包含する、請求項６に記載の方法。
【請求項８】
新しいコードセクションを受信するステップは、更新されたリード−ライトコードセクションを受信するステップを包含する、請求項７に記載の方法。
【請求項９】
更新するために第１のコードセクションを識別するステップは、前記リード−ライトコードセクションを識別するステップを包含し、
更新されたシステムソフトウェアを形成するために現在のコードセクションを用いて前記新しいコードセクションを配置するステップは、前記更新されたリード−ライトコードセクションで該リード−ライトコードセクションを置き換えるステップを包含し、
該更新されたシステムソフトウェアを実行するステップは、該更新されたシステムソフトウェアを実行する際に該更新されたリード−ライトコードセクションを用いるステップを包含する、請求項８に記載の方法。
【請求項１０】
第２の複数のコードセクションに前記第１の複数のシンボルライブラリを配置するステップは、コードセクションの開始点においてシンボルライブラリを開始するステップを包含し、
対応する開始アドレスに該コードセクションの開始点を格納するステップと、
対応する開始アドレスを用いてコードセクション識別子を相互参照するコードセクションアドレスを保持するステップと
をさらに包含する、請求項９に記載の方法。
【請求項１１】
第２の複数のコードセクションに前記第１の複数のシンボルライブラリを配置するステップは、各コードセクション開始アドレスからのオフセットになるように各シンボルを配置するステップを包含し、
対応するオフセットアドレスおよび対応するコードセクション識別子を用いてシンボル識別子を相互参照するシンボルオフセットアドレステーブルを保持するステップと
をさらに包含する、請求項１０に記載の方法。
【請求項１２】
第２の複数のコードセクションに前記第１の複数のシンボルライブラリを配置するステップは、
第１のテーブルコードセクションに前記コードセクションアドレステーブルを配置するステップと、
第２のテーブルコードセクションに前記シンボルオフセットアドレステーブルを配置するステップと
を包含する、請求項１１に記載の方法。
【請求項１３】
更新されたコードセクションを受信するステップは、更新された第１のテーブルコードセクションおよび更新された第２のテーブルコードセクションを受信するステップを包含し、
更新されたシステムソフトウェアを形成するために現在のコードセクションを用いて前記新しいコードセクションを配置するステップは、該更新された第１のテーブルコードセクションで前記第１のテーブルコードセクションを置き換え、かつ、該更新された第２のテーブルコードセクションで前記第２のテーブルコードセクションを置き換えるステップを包含し、
該更新されたシステムソフトウェアを実行するステップは、該更新されたシステムソフトウェアを実行する際に、該更新された第１のテーブルコードセクションおよび更新された第２のテーブルコードセクションを用いるステップを包含する、請求項１２に記載の方法。
【請求項１４】
第１の複数のシンボルライブラリにシステムソフトウェアを形成するステップは、パッチライブラリを形成するステップを包含し、
第２の複数のコードセクションに該第１の複数のシンボルライブラリを配置するステップは、パッチマネージャコードセクションにパッチライブラリを配置するステップを包含し、
前記無線デバイスのための更新されたシステムソフトウェアを形成するために現在のコードセクションを用いて前記新しいコードセクションを配置するステップは、
該パッチマネージャコードセクションにアクセスするステップと、
該新しいコードセクションを格納するために該パッチライブラリを呼び出すステップと
を包含する、請求項１３に記載の方法。
【請求項１５】
前記新しいコードセクションを格納するために前記パッチライブラリを呼び出すステップは、該新しいコードセクションを用いて前記第１のコードセクションを上書きするように該パッチライブラリを呼び出すステップを包含する、請求項１４に記載の方法。
【請求項１６】
前記新しいコードセクションを受信するステップの後に、メモリファイルシステムセクションに該新しいコードセクションを格納するステップをさらに包含し、
更新されたシステムソフトウェアを形成するために現在のコードセクションを用いて該新しいコードセクションを配置するステップは、該メモリファイルシステムセクションに格納された該新しいコードセクションを用いて前記第１のコードセクションを上書きするように前記パッチライブラリを呼び出すステップを包含する、請求項１５に記載の方法。
【請求項１７】
新しいコードセクションを受信するステップは、更新されたパッチマネージャコードセクションを受信するステップを包含し、
更新されたシステムソフトウェアを形成するために現在のコードセクションを用いて該新しいコードセクションを配置するステップは、該更新されたパッチマネージャコードセクションで該パッチマネージャコードセクションを置き換えるステップを包含し、
該更新されたシステムソフトウェアを実行するステップは、該更新されたシステムソフトウェアを実行する際に該更新されたパッチマネージャコードセクションを用いるステップを包含する、請求項１６に記載の方法。
【請求項１８】
第２の複数のコードセクションに前記第１の複数のシンボルライブラリを配置するステップは、パッチマネージャコードセクションにリード−ライトデータ、前記コードセクションアドレステーブル、および前記シンボルオフセットアドレステーブルを配置するステップを包含し、
更新されたパッチマネージャコードセクションを受信するステップは、更新されたシンボルオフセットアドレステーブル、更新されたコードセクションアドレステーブル、および更新されたリード−ライトデータを受信するステップを包含する、請求項１７に記載の方法。
【請求項１９】
第１の複数のシンボルライブラリにシステムソフトウェアを形成するステップは、シンボルアクセサコードを形成するステップを包含し、
第２の複数のコードセクションに該第１の複数のシンボルライブラリを配置するステップは、前記パッチマネージャコードセクションに該シンボルアクセサを配置するステップを包含し、
メモリ内の第１の位置において該シンボルアクセサコードアドレスを格納するステップをさらに包含し、
該更新されたシステムソフトウェアを実行するステップは、
メモリ内の該第１の位置の参照に応じて、該シンボルアクセサコードにアクセスするステップと、
対応するシンボル識別子および対応するコードセクション識別子を用いて検索されたシンボルのアドレスを計算するように該シンボルアクセサコードを呼び出すステップと
を包含する、請求項１７に記載の方法。
【請求項２０】
前記検索されたシンボルのアドレスを計算するために前記シンボルアクセサを呼び出すステップは、該検索されたシンボルのアドレスを計算するために前記コードセクションアドレステーブルおよび前記シンボルオフセットアドレステーブルにアクセスするステップを包含する、請求項１９に記載の方法。
【請求項２１】
更新されたパッチマネージャコードセクションを受信するステップは、更新されたシンボルアクセサコードを受信するステップを包含し、
更新されたパッチマネージャコードセクションで前記パッチマネージャコードセクションを置き換えるステップは、更新されたシンボルアクセサコードで前記シンボルアクセサコードを置き換えるステップを包含し、
前記更新されたシステムソフトウェアを実行するステップは、該更新されたシステムソフトウェアを実行する際に該更新されたシンボルアクセサコードを用いるステップを包含する、請求項２０に記載の方法。
【請求項２２】
更新されたシンボルアクセサコードアドレスを受信するステップと、
前記ファイルシステムセクションに該更新されたシンボルアクセサコードアドレスを格納するステップと、
該ファイルシステムセクションからの前記更新されたシンボルアクセサコードアドレスで前記メモリ内の第１の位置における前記シンボルアクセサコードアドレスを置き換えるステップと
をさらに包含し、
前記更新されたシステムソフトウェアを実行するステップは、該更新されたシステムソフトウェアを実行する際に該更新されたシンボルアクセサコードアドレスを用いるステップを包含する、請求項２１に記載の方法。
【請求項２３】
第２の複数のコードセクションに前記第１の複数のシンボルライブラリを配置するステップは、前記パッチマネージャコードセクションにおいて前記シンボルアクセサコードアドレスを配置するステップを包含し、
前記ファイルシステムセクションからの前記更新されたシンボルアクセサコードアドレスで前記メモリ内の第１の位置における該シンボルアクセサコードアドレスを置き換えるステップは、更新されたパッチマネージャコードセクションにおける該更新されたシンボルアクセサコードアドレスで該パッチマネージャコードセクションにおける該シンボルアクセサコードアドレスを置き換えるステップを包含する、請求項２２に記載の方法。
【請求項２４】
前記システムソフトウェアを実行するステップは、
前記リード−ライトデータ、前記コードセクションアドレステーブル、前記シンボルオフセットアドレステーブル、前記パッチライブラリ、シンボルアクセサコード、およびシンボルアクセサコードアドレスを前記パッチマネージャコードセクションからリード−ライト揮発性メモリにロードするステップと、
該リード−ライトデータ、該コードセクションアドレステーブル、該シンボルオフセットアドレステーブル、該パッチライブラリ、該シンボルアクセサコード、および該シンボルアクセサコードアドレスを該リード−ライト揮発性メモリからアクセスするステップと
を包含する、請求項２３に記載の方法。
【請求項２５】
対応する開始アドレスに前記コードセクションの開始点を格納するステップは、
第２の複数の連続してアドレスされるメモリブロックを生成するステップと、
対応するコードセクションと各メモリブロックとを識別するステップと、
該識別されたメモリブロックにコードセクションを格納するステップと
を包含する、請求項２４に記載の方法。
【請求項２６】
第２の複数のコードセクションに前記第１の複数のシンボルライブラリを配置するステップは、第１のコードセクションに第３の複数のシンボルライブラリを配置するステップを包含し、
対応するコードセクションと各メモリブロックとを識別するステップは、該第１のコードセクションと第１のメモリブロックとを識別するステップを包含し、
該識別されたメモリブロックにコードセクションを格納するステップは、該第１のメモリブロックに該第３の複数のシンボルライブラリを格納するステップを包含し、
新しいコードセクションを受信するステップは、内部に第３の複数のシンボルライブラリが配置された更新された第１のコードセクションを受信するステップを包含し、
前記無線デバイスのための更新されたシステムソフトウェアを形成するために現在のコードセクションを用いて前記新しいコードセクションを配置するステップは、更新された第１のコードセクションを用いて該第１のメモリブロックの該第１のコードセクションを上書きするステップを包含する、請求項２５に記載の方法。
【請求項２７】
第２の複数のコードセクションに前記第１の複数のコードセクションを配置するステップは、第１のコードセクションに第１のシンボルライブラリを配置するステップを包含し、
対応するコードセクションと各メモリブロックとを識別するステップは、該第１のコードセクションと第１のメモリブロックとを識別するステップを包含し、
該識別されたメモリブロックにコードセクションを格納するステップは、該第１のメモリブロックに該第１のシンボルライブラリを格納するステップを包含し、
新しいコードセクションを受信するステップは、内部に第１のシンボルライブラリが配置された更新された第１のコードセクションを受信するステップを包含し、
前記無線デバイスのための更新されたシステムソフトウェアを形成するために現在のコードセクションを用いて該新しいコードセクションを配置するステップは、更新された第１のコードセクションを用いて該第１のメモリブロックの該第１のコードセクションを上書きするステップを包含する、請求項２５に記載の方法。
【請求項２８】
第２の複数のコードセクションに前記第１の複数のシンボルライブラリを配置するステップは、配置されたシンボルライブラリを収容するために該コードセクションをサイズ合わせするステップを包含し、
第２の複数の連続してアドレスされたメモリブロックを生成するステップは、対応するコードセクションを収容するためにメモリブロックをサイズ合わせするステップを包含する、請求項２５に記載の方法。
【請求項２９】
第２の複数のコードセクションに前記第１の複数のシンボルライブラリを配置するステップは、該配置されたシンボルライブラリよりも大きいサイズを収容するように該コードセクションをサイズ合わせするステップを包含する、請求項２８に記載の方法。
【請求項３０】
複数の現在のコードセクションに前記無線デバイスのためのシステムソフトウェアを格納するステップは、第２の複数のコードセクションにシステムソフトウェアを格納するステップを包含し、
新しいコードセクションを受信するステップは、第２の複数の更新されたコードセクションを受信するステップを包含し、
該現在のコードセクションを用いて該新しいコードセクションを配置するステップは、該第２の複数の更新されたコードセクションで該第２の複数の現在のコードセクションを置き換えるステップを包含し、
前記更新されたシステムソフトウェアを実行するステップは、該更新されたシステムソフトウェアを実行する際に該第２の複数の更新されたコードセクションを用いるステップを包含する、請求項４に記載の方法。
【請求項３１】
無線通信デバイスにおいて、メモリに格納されたシステムソフトウェアを更新するための方法であって、該方法は、
複数の現在のコードセクションに該無線デバイスのためのシステムソフトウェアを格納するステップと、
無線通信デバイスのエアインターフェースを介して新しいコードセクションを受信するステップと、
メモリファイルシステムセクションに該新しいコードセクションを格納するステップと、
更新するための現在のコードセクションを識別するステップと、
該無線デバイスのための更新されたシステムソフトウェアを形成するために新しいコードセクションで現在のコードセクションを置き換えるステップと、
該更新されたシステムソフトウェアを実行するステップと
を包含する、方法。
【請求項３２】
コードセクションアドレステーブル、シンボルオフセットアドレステーブル、シンボルアクセサコード、パッチライブラリ、および複数のシンボルライブラリのためのリード−ライトデータを含む第１の複数のシンボルライブラリに前記システムソフトウェアを形成するステップと、
パッチマネージャコードセクションに該コードセクションアドレステーブル、該シンボルオフセットアドレステーブル、該シンボルアクセサコード、該リード−ライトデータ、該パッチライブラリ、および該シンボルアクセサコードアドレスを配置するステップと、
をさらに包含し、
新しいコードセクションを受信するステップは、新しいパッチマネージャコードセクションを受信するステップを包含し、
前記無線デバイスのための更新されたシステムソフトウェアを形成するために新しいコードセクションで現在のコードセクションを置き換えるステップは、該新しいパッチマネージャコードセクションで該現在のパッチマネージャコードセクションを置き換えるステップを包含する、請求項３１に記載の方法。
【請求項３３】
無線通信デバイスにおけるソフトウェア更新システムであって、該システムは、
複数の現在のコードセクションに区分された実行可能な無線デバイスシステムソフトウェアを含むコード格納セクションメモリと、
新しいコードセクションを受信するためのファイルシステムセクションメモリと、
該現在のコードセクションを用いて該コード格納セクションに新しいコードセクションを配置するためのパッチライブラリと
を含み、
該コード格納セクションへの該現在のコードセクションを用いる該新しいコードセクションの配置は、更新された実行可能なシステムソフトウェアを形成する、システム。
【請求項３４】
前記ファイルシステムセクションは、前記現在のコードセクションを用いて前記新しいコードセクションを配置する命令を含む第１のパッチマネージャ命令セット（ＰＭＩＳ）を受信し、
前記パッチライブラリは、該第１のＰＭＩＳに応じて該新しいコードセクションで前記コード格納セクションにおける前記第１のコードセクションを置き換える、請求項３３に記載のシステム。
【請求項３５】
前記コード格納セクションは、第１の複数のシンボルライブラリを含み、各シンボルライブラリは、少なくとも１つのシンボルを含み、該第１の複数のシンボルライブラリは、第２の複数のコードセクションに配置される、請求項３４に記載のシステム。
【請求項３６】
前記ファイルシステムセクションは、第２の複数の更新されたコードセクションを受信し、
前記パッチライブラリは、前記第２の複数の更新されたコードセクションで前記コード格納セクションにおける該第２の複数のコードセクションを置き換える、請求項３５に記載のシステム。
【請求項３７】
各シンボルライブラリは、関連した機能を有するシンボルを含む、請求項３４に記載のシステム。
【請求項３８】
新しいコードセクションを受信するためのエアリンクインターフェースをさらに含み、
前記ファイルシステムセクションは、該エアリンクインターフェースを介して受信した該新しいコードセクションを格納する、請求項３４に記載のシステム。
【請求項３９】
前記コード格納セクションは、前記第１の複数のシンボルライブラリのための内部に前記リード−ライトデータが配置された共有されたリード−ライトコードセクションを含む、請求項３８に記載のシステム。
【請求項４０】
前記ファイルシステムセクションは、更新されたリード−ライトコードセクションを受信し、
前記パッチライブラリは、該ファイルシステムセクションからの該更新されたリード−ライトコードセクションで前記コード格納セクションにおける前記リード−ライトコードセクションを置き換え、
該コード格納セクションにおける該現在のコードセクションを用いる前記新しいリード−ライトコードセクションの配置は、更新された実行可能なシステムソフトウェアを形成する、請求項３９に記載のシステム。
【請求項４１】
シンボルライブラリは、コードセクションの開始点において開始するように配置され、
前記コード格納セクションは、対応する開始アドレスを用いてコードセクション識別子を相互参照するコードセクションアドレステーブルを有する第１のテーブルコードセクションを含む、請求項４０に記載のシステム。
【請求項４２】
前記シンボルライブラリは、その各々のコードセクション開始アドレスからのオフセットとなる各シンボルを含み、
前記コード格納セクションは、対応するオフセットアドレスおよび対応するコードセクション識別子を用いてシンボル識別子を相互参照するシンボルオフセットアドレステーブルを有する第２のテーブルコードセクションを含む、請求項４１に記載のシステム。
【請求項４３】
前記ファイルシステムセクションは、更新された第１のテーブルコードセクションおよび更新された第２のテーブルコードセクションを受信し、
前記パッチライブラリは、該ファイルシステムセクションからの該更新された第１および第２のテーブルコードセクションで前記コード格納セクションにおける該第１および第２のテーブルコードセクションを置き換え、
該コード格納セクションにおける該現在のコードセクションを用いる該新しい第１および第２のテーブルコードセクションの配置は、更新された実行可能なシステムソフトウェアを形成する、請求項４２に記載のシステム。
【請求項４４】
前記パッチライブラリは、前記コード格納セクションのパッチマネージャコードセクションに配置されたシンボルライブラリである、請求項４３に記載のシステム。
【請求項４５】
前記ファイルシステムセクションは、更新された第１のコードセクションを受信し、
前記パッチライブラリは、該ファイルシステムセクションにおける該更新されたコードセクションを用いて前記コード格納セクションにおける前記第１のコードセクションを上書きする、請求項４４に記載のシステム。
【請求項４６】
前記ファイルシステムセクションは、更新されたパッチマネージャコードセクションを受信し、
前記パッチライブラリは、該ファイルシステムセクションにおける該更新されたパッチマネージャコードセクションで前記コード格納セクションにおける前記パッチマネージャコードセクションを置き換え、
該コード格納セクションにおける該現在のコードセクションを用いる該更新されたパッチマネージャコードセクションの配置は、更新された実行可能なシステムソフトウェアを形成する、請求項４５に記載のシステム。
【請求項４７】
前記パッチマネージャコードセクションは、リード−ライトデータ、前記コードセクションアドレステーブル、およびシンボルオフセットアドレステーブルを含み、
更新されたパッチマネージャコードセクションを受信するステップは、更新されたシンボルオフセットアドレステーブル、更新されたコードセクションアドレステーブル、および更新されたリード−ライトデータを受信するステップを包含する、請求項４６に記載のシステム。
【請求項４８】
前記パッチマネージャコードセクションは、対応するシンボル識別子および対応するコードセクション識別子を用いて検索されたシンボルのアドレスを計算するようにシンボルアクセサコードを含み、
該シンボルアクセサコードアドレスを格納するメモリ内の第１の位置をさらに含む、請求項４６に記載のシステム。
【請求項４９】
前記シンボルアクセサコードは、前記コードセクションアドレステーブルおよび前記シンボルオフセットアドレステーブルにアクセスすることによって前記検索されたシンボルのアドレスを計算する、請求項４８に記載のシステム。
【請求項５０】
前記ファイルシステムセクションは、更新されたシンボルアクセサコードを用いて更新されたパッチマネージャコードセクションを受信し、
前記パッチライブラリは、該更新されたパッチマネージャコードセクションで前記コード格納セクションにおける前記パッチマネージャコードセクションを置き換え、
該コード格納セクションの該現在のコードセクションを用いる該更新されたパッチマネージャコードセクションの該更新されたシンボルアクセサコードの配置は、更新された実行可能なシステムソフトウェアを形成する、請求項４９に記載のシステム。
【請求項５１】
前記ファイルシステムは、更新されたシンボルアクセサコードアドレスを受信し、
前記パッチライブラリは、更新されたシンボルアクセサコードアドレスで前記メモリ内の第１位置における前記シンボルアクセサコードアドレスを置き換える、請求項５０に記載のシステム。
【請求項５２】
前記パッチマネージャコードセクションは、メモリ内の前記第１の位置を含む、請求項５１に記載のシステム。
【請求項５３】
前記システムソフトウェアの実行中にアクセスするために、前記パッチマネージャコードセクションから前記リード−ライトデータ、前記コードセクションアドレステーブル、前記シンボルオフセットアドレステーブル、前記パッチライブラリ、シンボルアクセサコード、および前記シンボルアクセサコードアドレスを受け取るためのリード−ライト揮発性メモリをさらに含む、請求項５２に記載のシステム。
【請求項５４】
前記コード格納セクションは、前記対応する第２の複数のコードセクションと識別される第２の複数の連続してアドレスされたメモリブロックを含む、請求項５３に記載のシステム。
【請求項５５】
前記コード格納セクションは、内部に配置された前記シンボルライブラリを収容するようにサイズ合わせされたコードセクションと前記対応するコードセクションを収容するようにサイズ合わせされたメモリブロックとを含む、請求項５４に記載のシステム。
【請求項５６】
前記コード格納セクションは、前記内部に配置されたシンボルライブラリよりも大きいサイズに収容するようにサイズ合わせされるコードセクションを含む、請求項５５に記載のシステム。
【請求項５７】
無線通信デバイスにおけるソフトウェア更新システムであって、該システムは、
第２の複数のコードセクションに配置される第１の複数のシンボルライブラリに区分される実行可能な無線デバイスシステムソフトウェアを含むコード格納セクションと、
新しいコードセクションを受信するためのエアリンクインターフェースであって、該エアリンクインターフェースは更新されたパッチマネージャコードセクションを含む、エアリンクインターフェースと、
該エアリンクインターフェースを介して受信される新しいコードセクションを格納するためのファイルシステムセクションメモリと
を含み、
該コード格納セクションは、更新されたコードセクションで該コード格納セクションにおけるコードセクションを置き換えるようにパッチライブラリを有するパッチマネージャコードセクションを含み、該パッチマネージャコードセクションは、コードセクションアドレステーブル、シンボルオフセットアドレステーブル、シンボルアクセサコード、リード−ライトデータ、およびシンボルアクセサコードアドレスをさらに含み、
該コード格納セクションにおける現在のコードセクションを用いる、該更新されたパッチマネージャコードセクションを含む該新しいコードセクションの配置は、更新された実行可能なシステムソフトウェアを形成する、システム。
【発明の詳細な説明】
【技術分野】
【０００１】
本発明は、一般的には、無線通信デバイスに関し、より詳細には、エアリンクインターフェースを介して、現場における無線通信デバイスのシステムソフトウェアにおいてコードセクションを更新するシステムおよび方法に関する。
【背景技術】
【０００２】
（関連技術の説明）
現場に既に存在するフォンに対してソフトウェア更新をリリースすることは珍しくはない。これらの更新は、一度フォンが製造され公に流通されてからソフトウェアに見つけられた問題に関連し得る。ある更新には、サービスプロバイダかから供給されたフォンの新機能の用途またはサービスが含まれ得る。さらに他の更新は、地域的な問題、またはある通信事業者に関連する問題に関係し得る。例えば、ある地域では、通信事業者のネットワークレイアウトが、より不適切なチャンネル検索、より不適切なコールの終了、より不適切なオーディオまたはこれと同等の予期していない動作をハンドセットに示させる、ハンドセットにエアリンクインターフェース条件を課し得る。
【０００３】
このような更新に対する従来のアプローチは、最も近い通信事業者小売店／サービスアウトレットまたは製造業者に、本明細書中で無線デバイス、フォン、電話、またはハンドセットと呼ばれている無線通信デバイスを、その変更を処理するためにリコールすることであった。このような更新に含まれるコストは、広範囲に渡り、最終結果へ食い込む。さらに、顧客は、不便であり、いらいらさせられがちである。多くの場合、実際的なソリューションは、顧客に新しいフォンを提供することである。
【０００４】
顧客に不便さなく、無線通信デバイスソフトウェアが安価でアップグレードされ得れば、より有利である。
【０００５】
無線通信デバイスソフトウェアが、顧客が重要な期間のフォンの利用を失うことなく、アップグレードされ得れば、より有利である。
【０００６】
無線通信デバイスソフトウェアが、最小の専門家のサービス時間で、または、サービス設備へデバイスを送る必要なく更新され得れば、より有利である。
【０００７】
無線デバイスシステムソフトウェアが、コードセクションに区分され得、システムソフトウェアの特定のコードセクションのみがシステムソフトウェアを更新するために置き換えられる必要があれば、より有利である。これらのコードセクションが、エアリンクを介して無線デバイスに通信され得れば、より有利である。
【発明の開示】
【課題を解決するための手段】
【０００８】
（発明の要旨）
無線通信デバイスソフトウェア更新は、顧客にできる限り最良の製品およびユーザ経験を与える。本商業界の高価な部分とは、ソフトウェアを更新するためにハンドセットのリコールを含むことである。これらの更新は、フォンが製造された後に、ユーザに付加的なサービスを提供し、フォンの利用中に発見された問題を処理するために必要とし得る。本発明は、エアリンクインターフェースを介して、現場のハンドセットソフトウェアを実際に更新することを可能にする。
【０００９】
従って、無線通信デバイスのメモリに格納されるシステムソフトウェアを更新するための方法が提供された。本方法は、コードセクションアドレステーブル、シンボルオフセットアドレステーブル、シンボルアクセサコード、パッチライブラリ、および複数のシンボルライブラリのリード−ライトデータを含む第１の複数のシンボルライブラリにシステムソフトウェアを形成するステップと、パッチマネージャコードセクションに、コードセクションアドレステーブル、シンボルオフセットアドレステーブル、シンボルアクセサコード、パッチライブラリ、リード−ライトデータ、およびシンボルアクセサコードアドレスを配置するステップと、複数の現在のコードセクションに無線デバイスのためのシステムソフトウェアを格納するステップと、無線通信デバイスのエアインターフェースを介して新しいコードセクションを受信するステップと、メモリファイルシステムセクションに新しいコードセクションを格納するステップと、更新するために現在のコードセクションを識別するステップと、現在のコードセクションを新しいコードセクションに置き換えて、無線デバイスのための更新したシステムソフトウェアを形成するステップと、更新されたシステムソフトウェアを実行するステップとを包含する。
【００１０】
本発明のいくつかの局面において、新しいコードセクションを受信するステップは、新しいパッチマネージャコードセクションを受信するステップを包含し、現在のコードセクションを新しいコードセクションに置き換えて、無線デバイスの更新したシステムソフトウェアを形成するステップは、現在のパッチマネージャコードセクションを新しいパッチマネージャコードセクションに置き換えるステップを包含する。無線デバイスシステムソフトウェアを更新するための上述の方法およびシステムソフトウェアを更新するための無線デバイスシステムのさらなる詳細は、以下に詳細に提示される。
【発明を実施するための最良の形態】
【００１１】
以下の詳細な説明のいくつかの部分は、無線デバイスマイクロプロセッサまたはメモリ内のデータビットにおける動作の手順、ステップ、ロジックブロック、コード、処理、および、他のシンボリックな表現ついて示される。これらの記述および表現は、データ処理技術の当業者によって利用される手段であって、これらは、当該の別の技術者に仕事の実質を最も効果的に提供するためのものである。手順、マイクロプロセッサに実行されるステップ、アプリケーション、ロジックブロック、プロセス等は、本明細書中において、および一般的に、所望の結果を導くステップまたは命令の一貫したシーケンスであると考えられる。本ステップは、物理量（ｑｕａｎｔｉｔｙ）の物理的操作を要求するステップである。通常、必須ではないが、これらの量は、マイクロプロセッサに基づく無線デバイスにおいて、格納、伝達、結合、比較、およびそうでなければ操作され得る電気または磁気信号の形式を取り得る。これらの信号をビット、値、エレメント、シンボル、文字、用語、または数字等として示すことは、原則的に共通の用法で、時には便利であることが証明されている。メモリ等の物理的デバイスについて言及される場合、それらは、バスまたは他の電気接続を介して他の物理的デバイスに接続される。これらの物理的デバイスは、論理的プロセスまたはアプリケーションと相互作用し、従って、論理的演算に「接続される」と考えられ得る。例えば、メモリはさらなる論理演算に対するコードを格納またはアクセスし得る。
【００１２】
しかし、尚、全てのこれらおよび同様の用語は、適切な物理量に関連すべきであり、単にこれらの量に適用される便利なラベルにすぎない。他に特別に述べられない限り、以下の説明から明らかなように、本発明を通して、「処理」「接続」「翻訳」「表示」「プロンプト」「判定」「表示」または「認識」等の用語を利用した説明は、コンピュータシステムのレジスタおよびメモリ内の物理（電気的）量として示されるデータを無線デバイスメモリまたはレジスタまたは他のこのような情報格納デバイス、送信デバイスまたは表示デバイス内の物理量として同様に示される他のデータへ操作して変換する、無線デバイスマイクロプロセッサシステムのアクションおよびプロセスを示す。
【００１３】
図１は、無線デバイスソフトウェアメンテナンスシステム全体１００の概略的なブロック図である。本発明のシステムソフトウェアの組織化は、以下に詳細に示され、ソフトウェアメンテナンスシステムの一般的概要１００に従う。一般的なシステム１００は、システムソフトウェア更新および命令セット（プログラム）を送達するステップ、および送達されたソフトウェアを無線デバイスにインストールするステップのプロセスについて記述する。システムソフトウェア更新またはパッチメーカ命令セット（ＰＭＩＳ）は、ハンドセットの製造業者によって作成される。システムソフトウェアは、シンボルライブラリに組織化される。シンボルライブラリは、コードセクション内に配置される。シンボルライブラリが更新される場合、ソフトウェア更新１０２は、１つ以上のコードセクションとしてトランスポートされる。ソフトウェア更新は、現場の無線デバイス（無線通信デバイス１０４はその代表である）にブロードキャストされるか、または、公知の従来の空中でかつ、データまたはメッセージトランスポートプロトコルを利用して基地局１０６から別々の通信で送信される。本発明は、無線通信デバイスが、システムソフトウェアおよびＰＭＩＳ更新を受信する目的のために、任意の利用可能な空中を介した（ｏｖｅｒ−ｔｈｅ−ａｉｒ）トランスポートプロトコルを処理するように容易に修正され得るので、任意の特定のトランスポーテーションフォーマットに制限されない。
【００１４】
システムソフトウェアは、異なるサブシステムのコレクションとみなされ得る。コードオブジェクトは、これらの抽象的なサブシステムの１つにしっかりと接続され得、結果のコレクションは、シンボルライブラリとしてラベル付けされ得る。これは、コードベースの論理的ブレークダウンを提供し、ソフトウェアパッチおよび修正は、これらのシンボルライブラリに関連し得る。多くの場合、単一の更新は、１つまたは多くとも２つのシンボルライブラリと関連する。残りのコードベース、すなわち他のシンボルライブラリは、変化しないままである。
【００１５】
シンボルライブラリの概念は、コードおよび定数を扱うためのメカニズムを提供する。一方、リードライト（ＲＷ）データは、全てのライブラリのためのＲＡＭベースのデータを含む固有の個別ＲＷライブラリへ適合する。
【００１６】
無線デバイス１０４によって受信されると、トランスポートされたコードセクションは、処理されなければならない。この無線デバイスは、不揮発性メモリ１０８の固有のコードセクションを上書きする。不揮発性メモリ１０８は、ファイルシステムセクション（ＦＳＳ）１１０およびコード格納セクション１１２を含む。コードセクションは、通常、ＦＳＳ１１０の占有率を最小化するためにトランスポートの前に圧縮される。多くの場合、更新されたコードセクションは、ＲＷデータを伴い、ＲＷデータは、各シンボルライブラリのための全ＲＷデータを含む別の種類のシンボルライブラリである。システムソフトウェアは実行時にランダムアクセス揮発性リード−ライトメモリ１１４にロードされるが、ＲＷデータは、常に不揮発性メモリ１０８に格納される必要があり、そのため、ＲＷデータは、無線デバイスがリセットされる度に、ランダムアクセス揮発性リード−ライトメモリ１１４にロードされ得る。これは、初回のＲＷデータのランダムアクセス揮発性リード−ライトメモリへのロードを含む。以下により詳細に説明されるように、ＲＷデータは、通常、パッチマネージャコードセクションに配置される。
【００１７】
システム１００は、仮想テーブルの概念を含む。このようなテーブルを用いて、あるコードセクションのシンボルライブラリは、システムソフトウェアの他の部分（他のコードセクション）を壊す（置き換える）ことなく、パッチされる（置き換えられる）。仮想テーブルは、効率性のために、ランダムアクセス揮発性リード−ライトメモリ１１４から実行する。コードセクションアドレステーブルおよびシンボルオフセットアドレステーブルは、仮想テーブルである。
【００１８】
更新されたコードセクションは、無線デバイス１０４によって受信され、ＦＳＳ１１０に格納される。無線デバイスユーザインターフェース（ＵＩ）は、通常、新しいソフトウェアが利用可能であることをユーザに通知する。ＵＩプロンプトに応答して、ユーザは、通知を確認し、かつ、パッチまたは更新動作をシグナリングする。もしくは、更新動作が自動的に実行される。無線デバイスは、更新プロセスが実行される時、標準的な通信タスクを実行不可能であり得る。パッチマネージャ更新セクションは、さらにランダムアクセス揮発性リード−ライトメモリ１１４へロードされる不揮発性リード−ライトドライバシンボルライブラリを含み得る。不揮発性リード−ライトドライバシンボルライブラリは、コードセクションを更新されるべきコードセクションで上書きさせる。図に示されるように、コードセクションｎおよびパッチマネージャコードセクションは、更新されるコードセクションで上書きされる。パッチマネージャコードセクションは、リード−ライトデータ、コードセクションアドレステーブル、およびシンボルオフセットアドレステーブル、ならびに、シンボルアクセサコードおよびシンボルアクセサコードアドレス（以下に説明される）を含む。このデータの一部分は、更新されたコードセクションが導入される時に無効であり、更新されたパッチマネージャコードセクションは、更新されたコードセクションに対して有効なリード−ライトデータ、コードセクションアドレステーブル、およびシンボルオフセットアドレステーブルを含む。一旦、更新されたコードセクションが、コード格納媒体１１２内にロードされると、無線デバイスはリセットされる。リセット動作に続いて、無線デバイスは、更新されたシステムソフトウェアを実行し得る。尚、パッチマネージャコードセクションは、上述されていない他のシンボルライブラリを含み得る。これらの他のシンボルライブラリは、リード−ライト揮発性メモリ１１４へロードされる必要がない。
【００１９】
図２は、エアリンクインターフェースを介する命令セットのインストールをハイライトする、ソフトウェアメンテナンスシステム１００の概略的なブロック図である。更新システムソフトウェアコードセクションに加えて、メンテナンスシステム１００は、本明細書中でパッチマーカ命令セット（ＰＭＩＳ）と呼ばれる、命令セットまたはプログラムをダウンロードおよびインストールし得る。ＰＭＩＳコードセクション２００は、上述のシステムソフトウェアコードセクションと同一の態様で無線デバイス１０４にトランスポートされる。ＰＭＩＳコードセクションは、最初にＦＳＳ１１０に格納される。ＰＭＩＳコードセクションは、通常、コンパイルされたハンドセットへの命令として可視化され得るバイナリフィアルである。ＰＭＩＳコードセクションは、基本数学的演算の性能および条件付きで実行される演算の性能を提供するのに十分に包括的である。例えば、ＲＦ調整ＰＭＩＳは、以下の動作を実行し得る。
【００２０】
【数１】
2004537123.tif 000003
ＰＭＩＳは、加算、減算、乗算、および除算等の基本数学的演算をサポートし得る。システムソフトウェアコードセクションと共に、ＰＭＩＳコードセクションは、ＵＩプロンプトに応答してロードされ得、無線デバイスは、ＰＭＩＳがコード格納セクション１１２へロードされた後、リセットされなくてはならない。その後、ＰＭＩＳセクションは、実行され得る。ＰＭＩＳコードセクションが任意の仮想テーブルまたはリード−ライトデータと関連する場合、更新されたパッチマネージャコードセクションは、コード格納セクション１１２におけるインストールのためにＰＭＩＳと共にトランスポートされる。もしくは、ＰＭＩＳは、保持されて、ＦＳＳ１１０から処理され得る。ハンドセット１０４は、ＰＭＩＳセクションにおける全ての命令を実行した後、ＰＭＩＳセクションは、ＦＳＳ１１０から削除され得る。
【００２１】
本発明のある局面では、システムソフトウェアのシンボルライブラリへの組織化は、実行のために要求される揮発性メモリ１１４および不揮発性メモリ１０８のサイズに影響をし得る。これは、コードセクションが、コードセクション内に配置されるシンボルライブラリよりも典型的には大きいという事実による。これらのより大きいコードセクションが存在するのは、更新されたコードセクションを収容するためである。システムソフトウェアのライブラリのコレクションとしての組織化は、不揮発性メモリサイズ要件に影響する。同一のコードサイズに対して、利用される不揮発性メモリの量は、コードセクションが、内部に配置されるシンボルライブラリよりも大きくなるようにサイズ合わせし得るという事実により、より大きくなる。
【００２２】
ＰＭＩＳは、非常に強力なランタイム命令エンジンである。ハンドセットは、ＰＭＩＳ環境を介してハンドセットに送達される任意の命令を実行し得る。このメカニズムは、ＲＦ調整およびＰＲＩ更新をサポートするために利用され得る。より一般的には、ＰＭＩＳが利用され、典型的にはユーザの不満の結果等のソフトウェア問題が製造業者またはサービスプロバイダによって認識される場合、無線デバイスソフトウェアをリモートデバックし得る。ＰＭＩＳはまた、ソフトウェアの問題を診断するために必要なデータを記録できる。ＰＭＩＳは、データ解析、デバック、および修正用の新しくダウンロードされたシステムアプリケーションを起動し得る。ＰＭＩＳは、更新されたシステムソフトウェアコードセクションの代わりに、ある問題に対する解析およびできる限り短い時間での修正のためのＲＷデータをベースにした更新を提供し得る。ＰＭＩＳは、無線デバイスによる利用のためにメモリ圧縮アルゴリズムを提供し得る。
【００２３】
一旦、ソフトウェア更新が、無線デバイスに送達されると、ソフトウェアメンテナンスシステム１００は、メモリ圧縮をサポートする。メモリ圧縮は、デスクトップコンピュータのディスクデフラグアプリケーションと同様である。圧縮メカニズムは、メモリが最適に利用され、将来のコードセクション更新のために良好にバランスされることを保証し、ここで、更新されるコードセクションのサイズは、予測できない。システム１００は、パッチがあてられる（更新される）コード格納セクションを解析する。システム１００は、更新されたコードセクションを、置換されるコードセクションにより占有されるメモリスペースへ適応させることを試みる。更新されたコードセクションが置換されるコードセクションよりも大きい場合、システム１００は、メモリ１１２のコードセクションを圧縮する。もしくは、圧縮は、製造業者またはサービスプロバイダによって計算され得、圧縮命令は、無線デバイス１０４へトランポートされ得る。
【００２４】
圧縮は、アルゴリズムの複雑性および膨大な量のデータ移動により、時間消費プロセスになり得る。圧縮アルゴリズムは、任意の処理が開始する前に、実行可能性を予測する。ＵＩプロンプトは、圧縮が試みられる前に、ユーザからの許可を適用するために利用され得る。
【００２５】
本発明のある局面では、全システムソフトウェアコードセクションは、同時に更新され得る。しかしながら、完全なシステムソフトウェア更新は、より大きなＦＳＳ１１０を要求する。
【００２６】
図３は、無線通信デバイスにおいてシステムソフトウェアを更新するための本発明のシステムを示す概略的ブロック図である。システム３００は、複数の現在のコードセクションに区分される実行可能な無線デバイスシステムソフトウェアを含むメモリ１０８におけるコード格納セクション１１２を含む。コードセクション１（３０２）、コードセクション２（３０４）、およびコードセクションｎ（３０６）、ならびにパッチマネージャコードセクション３０８が示される。しかし、本発明は、コードセクションの任意の特定の数に制限されない。その上、システム３００はさらに、第２の複数のコードセクション内に配置される第１の複数のシンボルライブラリを含む。示されるのは、コードセクション１（３０２）に配置されるシンボルライブラリ１（３１０）、コードセクション２（３０４）に配置されるシンボルライブラリ２（３１２）および３（３１４）、ならびにコードセクションｎ（３０６）に配置されるシンボルライブラリｍ（３１６）である。各ライブラリは、関連する機能性を有するシンボルを含む。例えば、シンボルライブラリ１（３１０）は、無線デバイス液晶ディスプレイ（ＬＣＤ）の動作に関与し得る。そして、シンボルは、ディスプレイ機能に関連する。以下に詳細に示されるように、さらなるシンボルライブラリは、パッチマネージャコードセクション３０８に配置される。
【００２７】
図４は、無線デバイスメモリの概略的なブロック図である。示されるように、メモリは、図１のコード格納セクション１１２である。メモリは、フラッシュメモリのような書き込み可能な不揮発性メモリである。尚、コードセクションは、必ずしもＦＳＳ１１０と同一のメモリに格納される必要はないことが理解される。尚、本発明のシステムソフトウェア構造は、複数の協働するメモリに格納されるコードセクションにより有効にされることも理解される。コード格納セクション１１２は、第２の複数の連続してアドレスされるメモリブロックを含み、ここで、各メモリブロックは、第２の複数のコードセクションに対応するコードセクションを格納する。従って、コードセクション１（３０２）は、第１のメモリブロック４００に格納され、コードセクション２（３０４）は、第２のメモリブロック４０２に格納され、コードセクションｎ（３０６）は、第ｎのメモリブロック４０４に格納され、そしてパッチマネージャコードセクション（３０８）は、第ｐのメモリブロック４０６に格納される。
【００２８】
図３および４と対照的に、各コードセクションの開始点は、メモリの対応する開始アドレスに格納され、シンボルライブラリは、コードセクションの開始点で開始するように配置される。すなわち、各シンボルライブラリは、第１のアドレスで開始し、第１のアドレスから連続してある範囲のアドレスを通って走行する。例えば、コードセクション１（３０２）は、コード格納セクションメモリ１１２の第１の開始アドレス４０８（「Ｓ」でマークされる）で開始する。図３では、シンボルライブラリ１（３１０）は、第１のコードセクションの開始点３１８で開始する。コードセクション２（３０４）が第２の開始アドレス４１０（図４）で開始するのと同様に、シンボルライブラリ２は、コードセクション２（図３）の開始点３２０で開始する。コードセクションｎ（３０６）は、コード格納セクションメモリ１１２の第３の開始アドレス４１２（図４）で開始し、シンボルライブラリｍ（３１６）は、コードセクションｎ３２２（図３）の開始点で開始する。パッチマネージャコードセクションは、コード格納セクションメモリ１１２の第ｐの開始アドレス４１４で開始し、そしてパッチマネージャコードセクション３０８の第１のシンボルライブラリは、パッチマネージャコードセクションの開始点３２４で開始する。従って、シンボルライブラリ１（３１０）は、最終的に、第１のメモリブロック４００に格納される。コードセクションが、コードセクション２（３０４）のような複数のシンボルライブラリを含む場合、複数のシンボルライブラリは、対応するメモリブロック（この場合、第２のメモリブロック４０２）に格納される。
【００２９】
図３では、システムソフトウェア構造３００は、パッチマネージャコードセクション３０８に配置されるシンボルライブラリに含まれるシンボルのあるタイプとして、コードセクションアドレステーブル３２６をさらに含む。コードセクションアドレステーブルは、コードセクション識別子をメモリの対応するコードセクション開始アドレスと相互参照する。
【００３０】
図５は、図３のコードセクションアドレステーブル３２６を示すテーブルである。コードセクションアドレステーブル３２６は、シンボルライブラリに対するコードセクション開始アドレスを見つけ出すために参照される。例えば、システム３００は、シンボルライブラリ１のシンボルが実行に必要とされる時、コードセクション１を検索する。コードセクション１の開始アドレスを見つけ出し、従って、シンボルをシンボルライブラリ１に位置付けるために、コードセクションアドレステーブル３２６は、参照される。コードセクションのシンボルライブラリの配置、およびテーブルによるコードセクションのトラッキングは、コードセクションが移動され、かつ拡張されることを可能にする。拡張または移動動作は、アップグレードされたコードセクション（アップグレードされたシンボルライブラリを含む）をインストールするために必要とされ得る。
【００３１】
尚、図３に戻って、全てのシンボルライブラリは、必ずしもコードセクションの開始点で開始するわけではない。示されるように、シンボルライブラリ３（３１４）は、コードセクション２（３０４）に配置されるが、コードセクション開始アドレス３２０で開始しない。従って、シンボルライブラリ３（３１４）のシンボルが実行のために必要とされる場合、システム３００は、コードセクション２（３０４）の開始アドレスに対してコードセクションアドレステーブル３２６を参照する。以下に説明されるように、シンボルオフセットアドレステーブルは、シンボルライブラリ３（３１４）のシンボルが位置付けられることを可能にする。シンボルが、複数のライブラリにわたって広がることは、同一のコードセクションに保持されない限り、問題ではない。
【００３２】
上述されたように、各シンボルライブラリは、機能的に関連したシンボルを含む。シンボルは、ルーティン本体、変数、またはデータ構造を位置付け、かつ利用するための、プログラマ定義の名前である。従って、シンボルは、アドレスまたは値であり得る。シンボルは、内部または外部であり得る。内部シンボルは、現在のコードセクションの範囲を超えて、可視ではない。より詳細には、内部シンボルは、他のコードセクションにおいて、他のシンボルライブラリによって検索されない。外部シンボルは、コードセクション間で利用および呼び出しされ、かつ、異なるコードセクションのライブラリによって検索される。シンボルオフセットアドレステーブルは、通常、全ての外部シンボルのリストを含む。
【００３３】
例えば、シンボルライブラリ１は、無線デバイスディスプレイ上に文字を生成する。このライブラリのシンボルは、電話番号、名前、時刻、または他のディスプレイ機能を生成する。各機能は、本明細書中でシンボルとして参照する、ルーティンによって生成される。例えば、シンボルライブラリ１（３１０）の１つのシンボルは、ディスプレイ上に電話番号を生成する。このシンボルは、「Ｘ」で表わされ、外部である。無線デバイスがフォンコールを受け、呼び出し側ＩＤサービスが起動される場合、システムは、「Ｘ」シンボルを実行させたい場合、ディスプレイ上に番号を生成しなければならない。従って、システムは、「Ｘ」シンボルを位置付けなければならない。
【００３４】
図６は、シンボルを有する、図３のシンボルライブラリ１（３１０）の詳細な図である。シンボルは、各コードセクション開始アドレスからオフセットされるように配置される。多くの状況では、シンボルライブラリの開始点は、コードセクションの開始点であるが、これは、コードセクションが１つより多いシンボルライブラリを含む場合に当てはまらない。シンボルライブラリ１は、コードセクション１（図３を参照されたい）の開始点で開始する。図６に示されるように、「Ｘ」シンボルは、シンボルライブラリの開始点からの（０３）のオフセットに位置付けられ、「Ｙ」シンボルは、（１５）のオフセットに位置付けられる。シンボルオフセットアドレスは、パッチマネージャコードセクションのシンボルオフセットアドレステーブル３２８に格納される（図３）。
【００３５】
図７は、図３のシンボルオフセットアドレステーブル３２８を示すテーブルである。シンボルオフセットアドレステーブル３２８は、対応するオフセットアドレス、およびメモリの対応するコードセクション識別子によってシンボル識別子を相互参照する。従って、システムは、シンボルライブラリ１において「Ｘ」シンボルを実行させるために検索し、シンボルオフセットアドレステーブル３２８は、それが配置されるコードセクションについて、シンボルの正確なアドレスを位置付けるために参照される。
【００３６】
図３に戻って、第１の複数のシンボルライブラリは全て、通常、これらのシンボルライブラリの実行時に参照される、または設定されなければならないリード−ライトデータを含む。例えば、シンボルライブラリは、条件付きステートメントに依存する動作を含み得る。リード−ライトデータセクションを参照して、条件付きステートメントを完了させるために必要なステータスを判定する。本発明は、全てのシンボルライブラリから共有されるリード−ライトセクションへリード−ライトデータをグループ化する。本発明のある局面では、リード−ライトデータ３３０は、パッチマネージャコードセクション３０８に配置される。もしくは（示されない）、リード−ライトデータは、異なるコードセクション、例えば、コードセクションｎ（３０６）に配置され得る。第１の複数のシンボルライブラリはまた、検索されるシンボルのアドレスを計算するために、コードセクションに配置されるシンボルアクセサコードを含む。シンボルアクセサコードは、別々のコードセクション、例えば、コードセクション２（３０４）のアドレスに配置され、かつ格納され得る。しかし、示されるように、シンボルアクセサコード３３２は、パッチマネージャコードセクション３０８のアドレスに配置され、格納される。システムソフトウェア構造３００は、さらに、シンボルアクセサコードアドレスを格納する第１の位置を含む。第１の位置は、コード格納セクション１１２、または無線デバイス（示されない）の別々のメモリセクションにおけるコードセクションであり得る。第１の位置はまた、リード−ライトデータと同一のコードセクションにも配置され得る。示されるように、第１の位置３３４は、リード−ライトデータ３３０、シンボルオフセットアドレステーブル３２８、コードセクションアドレステーブル３２６、シンボルアクセサコード３３２、およびパッチライブラリ（パッチシンボルライブラリ）３３６を有するパッチマネージャコードセクション３０８に格納される。
【００３７】
シンボルアクセサコードは、コードセクションアドレステーブルおよびシンボルオフセットアドレステーブルを利用して、メモリにおいて検索されるべきシンボルの正確なアドレスを検索する。すなわち、シンボルアクセサコードは、対応するシンボル識別子および対応するコードセクション識別子を用いて検索されたシンボルのアドレスを計算する。例えば、シンボルライブラリ１の「Ｘ」シンボルが検索される場合、シンボルアクセサは、「Ｘ」シンボルに対応して（図７を参照されたい）、シンボル識別子（シンボルＩＤ）Ｘ＿１を検索するために呼び出される。シンボルアクセサコードは、シンボルオフセットアドレスを参照して、Ｘ＿１シンボル識別子がコードセクション１の開始点から（０３）のオフセットを有することを判定する（図６を参照されたい）。シンボルアクセサコードは、コードセクション１に対応して、コードセクション識別子ＣＳ＿１を検索するために呼び出される。シンボルアクセサコードは、コードセクションテーブルを参照して、コードセクション識別子（コードセクションＩＤ）ＣＳ＿１と関連する開始アドレスを決定する。この方法では、シンボルアクセサコードは、シンボル識別子Ｘ＿１が、（００１００）のアドレスからの（０３）のオフセットであるか、または、アドレス（００１０３）に位置付けられるかを決定する。
【００３８】
シンボル「Ｘ」は、実際のコードの一部であるので、予約された名前である。言い換えると、シンボル「Ｘ」は、それに関連する絶対値データである。データは、アドレスまたは値であり得る。シンボル識別子は、シンボルをトラックするために生成されるエイリアスである。シンボルオフセットアドレステーブルおよびコードセクションアドレステーブルの両方が識別子と共に作用して、予約されたシンボルおよびコードセクション名との混乱を避ける。また、同一のシンボル名を多くのシンボルライブラリにわたって利用することが可能である。識別子の利用は、これらのシンボル間の混乱を避ける。図１に戻って、システムソフトウェア構造３００はさらに、リード−ライト揮発性メモリ１１４、典型的にはランダムアクセスメモリ（ＲＡＭ）を含む。リード−ライトデータ３３０、コードセクションアドレステーブル３２６、シンボルオフセットアドレステーブル３２８、シンボルアクセサコード３３２、およびシンボルアクセサコードアドレス３３４は、システムソフトウェアの実行中のアクセスのために、パッチメネージャセクションからリード−ライト揮発性メモリ１１４へロードされる。周知のように、ＲＡＭに格納されるコードのアクセス時間は、Ｆｌａｓｈのような不揮発性メモリへのアクセスよりもはるかに短い。
【００３９】
図３に戻って、尚、シンボルライブラリは、それらが配置されるコードセクションを必ずしも満たす必要はないが、メモリブロックが内部に格納される対応のコードセクションを正確に収容するようにサイズ合わせされる。代わりに述べられるのは、第２の複数のコードセクションの各々は、配置されるシンボルライブラリを収容するバイトサイズを有し、連続してアドレスされるメモリブロックの各々は、対応するコードセクションを収容するバイトサイズを有する。例えば、コードセクション１（３０２）は、１００バイトの長さを有するシンボルライブラリを収容する１００バイトのセクションであり得る。第１のメモリブロックは、コードセクション１のバイトサイズに一致する１００バイトである。しかし、コードセクション１にロードされるシンボルライブラリは、１００バイトよりも小さくなってもよい。図３に示されるように、コードセクション１（３０２）は、シンボルライブラリ１（３１０）が１００バイトよりも小さい場合、未使用セクション３４０を有する。従って、第２の複数のコードセクションの各々は、配置されるシンボルライブラリを収容するのに必要となるサイズよりも大きいサイズを有する。「過剰なサイズ」のコードセクションにより、より大きな更新されたシンボルライブラリが収容され得る。
【００４０】
図３に示されるように、システム３００は、パッチシンボルライブラリを含む。これは、本明細書中にパッチライブラリ３３６として言及され、現在のコードセクションを用いてコード格納セクションにおいて新しいコードセクションを配置する。コード格納セクションにおける現在のコードセクションによる新しいコードセクションの配置は、更新した実行可能なシステムソフトウェアを形成する。パッチマネージャ３３６は、現在のコードセクションにより新しいコードセクションを配置するだけでなく、さらに、更新したコードセクションでコードセクションを置き換える。
【００４１】
図４に戻ると、メモリ１０８のファイルシステムセクション１１０は、例えば、新しいコードセクション４５０および更新されたパッチマネージャコードセクション４５２といった新しいコードセクションを受信する。ファイルシステムセクションはまた、現在のコードセクションを用いて新しいコードセクションを配置するための命令を含む第１のパッチマネージャ命令セット（ＰＭＩＳ）４５４を受信する。図１に示されるように、エアリンクインターフェース１５０は、新しいか、または更新されたコードセクション、ならびに、第１のＰＭＩＳを受信する。エアリンクインターフェース１５０はアンテナによって表されているが、エアリンクインターフェースはまた、ＲＦトランシーバ、ベースバンド回路部、および復調回路部（図示せず）を含むことは理解されるべきである。ファイルシステムセクション１１０は、エアリンクインターフェース１５０を介して受信される新しいコードセクションを格納する。リード−ライト揮発性メモリ１１４から実行するパッチライブラリ３３６は、ファイルシステムセクション１１０における、例えば、コードセクション４５０のような更新されたコードセクションによって、コード格納セクション１１２における、例えば、コードセクションｎ（３０６）のような第１のコードセクションを上書きする。概して、パッチマネージャコードセクション３０８は、更新されたパッチマネージャコードセクション４５２で置き換えられる。コードセクションが置き換えられると、パッチライブラリ３３６は、例えば、更新されたコードセクションを用いてコード格納セクション１１２におけるコードセクションｎ（３０６）、例えば、ファイルシステムセクション１１０におけるコードセクション４５０といった第１のコードセクションを上書きする。極端な場合には、コード格納セクション１１２における全てのコードセクションは、更新されたコードセクションで置き換えられる。すなわち、ＦＳＳ１１０は、第２の複数の更新されたコードセクション（図示せず）を受信して、パッチライブラリ３３６は、コード格納セクション１１２における第２の複数のコードセクションを第２の複数の更新されたコードセクションで置き換える。もちろん、ＦＳＳ１１０は、エアリンクインターフェースを介して受信された第２の複数の更新されたコードセクションを収容するほど十分大きくなる必要がある。
【００４２】
上述されるように、受信される更新されたコードセクションは、リード−ライトデータコードセクション、コードセクションのアドレステーブルコードセクション、シンボルライブラリ、シンボルオフセットアドレステーブルコードセクション、シンボルアクセサコードセクション、または新しいパッチライブラリを有するコードセクションを含み得る。これらの関連付けられたシンボルライブラリおよびシンボルを有する全てのこれらのコードセクションは、別個の、かつ、独立したコードセクションとして格納され得る。次に、これらのコードセクションの各々は、固有の更新されたコードセクションで置き換えられる。すなわち、更新されたリード−ライトコードセクションが受信され、コード格納セクションにおけるリード−ライトコードセクションを置き換える。更新されたコードセクションのアドレステーブルコードセクションが受信され、コード格納セクションにおけるコードセクションアドレステーブルコードセクションを置き換える。更新されたシンボルオフセットアドレステーブルコードセクションが受信され、コード格納セクションにおけるシンボルオフセットアドレステーブルコードセクションを置き換える。更新されたシンボルアクセサコードセクションが受信され、コード格納セクションにおけるシンボルアクセサコードセクションを置き換える。同様に、（パッチライブラリを有する）更新されたパッチマネージャコードセクションが受信され、コード格納セクションにおけるパッチマネージャコードセクションを置き換える。
【００４３】
しかし、上述のコードセクションは、概して、パッチマネージャコードセクションにおいて共に束ねられる。従って、パッチマネージャコードセクション３０８が、更新されたパッチマネージャコードセクション４５０で置き換えられる場合、コード格納セクションにおけるリード−ライトコードセクションは、ファイルシステムセクション１１０からの更新されたリード−ライトコードセクションで置き換えられる。同様に、コードセクションアドレステーブル、シンボルオフセットアドレステーブル、シンボルアクセサコードセクション、およびパッチライブラリは、更新されたパッチマネージャコードセクション４５０がインストールされた場合に置き換えられる。新しいリード−ライトデータ、新しいコードセクションアドレステーブル、新しいシンボルオフセットアドレステーブル、新しいシンボルアクセサコード、および更新されたパッチマネージャコードセクション４５０のような新しいパッチライブラリの配置は、コード格納セクションにおける現在のコードセクションと共に更新された実行可能なシステムソフトウェアを形成する。ファイルシステムセクション１１０が更新されたシンボルアクセサコードアドレスを受信する場合、パッチマネージャは、更新されたシンボルアクセサコードアドレスを用いてメモリの第１の位置におけるシンボルアクセサコードアドレスを置き換える。上述されるように、メモリ３３４の第１の位置は、概して、パッチマネージャコードセクションにある（図３を参照されたい）。
【００４４】
図８ａ〜８ｃは、無線通信デバイスメモリのシステムソフトウェアを更新するための本発明の方法を示すフローチャートである。本方法は、簡単のためにナンバリングされたステップのシーケンスとして示されるが、明確に記述されない限り、順序は、ナンバリングから推論されるべきではない。本方法は、ステップ８００で開始する。ステップ８０２は、システムソフトウェアを第１の複数のシンボルライブラリへ形成し、各シンボルライブラリは、少なくとも１つのシンボルを含む。さらに、第１の複数のシンボルライブラリにシステムソフトウェアを形成するステップは、関連した機能を有するシンボルを含む各シンボルライブラリを含む。ステップ８０４は、第１の複数のシンボルライブラリを第２の複数のコードセクションへ配置する。ステップ８０６は、複数の現在のコードセクションに無線デバイスのシステムソフトウェアを格納する。ステップ８０８は、無線通信デバイスエアインターフェースを介して新しいコードセクションを受信する。ステップ８１０は、現在のコードセクションを用いて新しいコードセクションを配置し、無線デバイスの更新されたシステムソフトウェアを形成する。ステップ８１２は、更新されたシステムソフトウェアを実行する。本発明のいくつかの局面において、ステップ８０９は、更新するための第１のコードセクションを識別する。次に、ステップ８１０において、現在のコードセクションを用いて新しいコードセクションを配置するステップは、新しいコードセクションを用いて第１のコードセクションを置き換えるステップを包含する。ステップ８１２において更新されたシステムソフトウェアを実行するステップは、更新されたシステムソフトウェアを実行する際に新しいコードセクションを用いるステップを包含する。ステップ８０６が、第２の複数の現在のコードセクションに無線デバイスのためのシステムソフトウェアを格納し、第２の複数の更新されたコードセクションがステップ８０８において受信される場合、次にステップ８１０は、第２の複数の更新されたコードセクションを用いて、第２の複数の現在のコードセクションを置き換えるステップを包含し、ステップ８１２は、更新されたシステムソフトウェアを実行する際に第２の複数の更新されたコードセクションを用いる。
【００４５】
いくつかの局面において、ステップ８０２において第１の複数のシンボルライブラリにシステムソフトウェアを形成するステップは、複数のシンボルライブラリのためのリード−ライトデータを形成するステップを包含する。次に、ステップ８０４において第２の複数のコードセクションに第１の複数のシンボルライブラリを配置するステップは、共有されたリード−ライトコードセクションにおいてリード−ライトデータを配置するステップを包含する。ステップ８０８において新しいコードセクションを受信するステップは、更新されたリード−ライトコードセクションを受信するステップを包含し、ステップ８０９において更新するための第１のコードセクションを識別するステップは、リード−ライトコードセクションを識別するステップを包含する。ステップ８１０において更新されたシステムソフトウェアを形成するために現在のコードセクションを用いて新しいコードセクションを配置するステップは、更新されたリード−ライトコードセクションでリード−ライトコードセクションを置き換えるステップを包含する。ステップ８１２において更新されたシステムソフトウェアを実行するステップは、更新されたシステムソフトウェアを実行する際に更新されたリード−ライトコードセクションを用いるステップを包含する。本発明のいくつかの局面において、ステップ８０４において第２の複数のコードセクションに第１の複数のシンボルライブラリを配置するステップは、コードセクションの開始点においてシンボルライブラリを開始するステップを包含する。ステップ８０６において複数の現在のコードセクションに無線デバイスのためのシステムソフトウェア格納するステップは、対応する開始アドレスにコードセクションの開始点を格納するステップを包含する。次に、さらなるステップであるステップ８０７ａは、対応する開始アドレスを用いてコードセクション識別子を相互参照するコードセクションアドレステーブルを保持する。
【００４６】
本発明のいくつかの局面において、ステップ８０４において第２の複数のコードセクションに第１の複数のシンボルライブラリを配置するステップは、その各コードセクションの開始点アドレスからのオフセットになるようにそれぞれのシンボルを配置するステップを包含する。次に、さらなるステップ、ステップ８０７ｂは、対応するオフセットアドレスおよび対応するコードセクション識別子を用いてシンボル識別子を相互参照するシンボルオフセットアドレステーブルを保持する。
【００４７】
ステップ８０４において第２の複数のコードセクションに第１の複数のシンボルライブラリを配置するステップは、サブステップを含む。ステップ８０４ａは、第１のテーブルコードセクションにおいてコードセクションアドレステーブルを配置し、ステップ８０４ｂは、第２のテーブルコードセクションにおいてシンボルオフセットアドレステーブルを配置する。ステップ８０８において更新されたコードセクションを受信するステップは、更新された第１のテーブルコードセクションおよび更新された第２のテーブルコードセクションを受信するステップを包含する。ステップ８１０において更新されたシステムソフトウェアを形成するために現在のコードセクションを用いて新しいコードセクションを配置するステップは、更新された第１のテーブルコードセクションで第１のテーブルコードセクションを置き換えて、更新された第２のテーブルコードセクションで第２のテーブルコードセクションを置き換えるステップとを包含する。ステップ８１２における更新されたシステムソフトウェアを実行するステップは、更新されたシステムソフトウェアを実行する際に更新された第１のテーブルコードセクションと更新された第２のコードセクションを用いるステップを包含する。
【００４８】
本発明のいくつかの局面において、ステップ８０２で第１の複数のシンボルライブラリにシステムソフトウェアを形成するステップは、パッチライブラリまたはパッチシンボルライブラリを形成するステップを包含する。ステップ８０４において第２の複数のコードセクションに第１の複数のシンボルライブラリを配置するステップは、パッチマネージャコードセクションにパッチライブラリを配置するステップを包含する。無線デバイスの更新されたシステムソフトウェアを形成するために現在のコードセクションを用いて新しいコードセクションを配置するステップは、サブステップを含む。ステップ８１０ａは、パッチマネージャコードセクションにアクセスする。ステップ８１０ｂは、新しいコードセクションを格納するためにパッチライブラリを呼び出す。ステップ８１０ｂにおいて新しいコードセクションを格納するためにパッチライブラリを呼び出すステップは、概して、新しいコードセクションを用いて第１のコードセクションを上書きするためにパッチライブラリを呼び出すステップを包含する。
【００４９】
いくつかの局面において、ステップ８０８において新しいコードセクションを受信するステップの後のステップ８０８ａは、メモリファイルシステムセクションに新しいコードセクションを格納する。ステップ８１０において更新されたシステムソフトウェアを形成するために現在のコードセクションを用いて新しいコードセクションを配置するステップは、メモリファイルシステムセクションに格納された新しいコードセクションを用いて第１のコードセクションを上書きするためにパッチライブラリを呼び出すステップを包含する。
【００５０】
本発明の他の局面において、ステップ８０８で新しいコードセクションを受信するステップは、更新されたパッチマネージャコードセクションを受信するステップを包含する。ステップ８１０において更新されたシステムソフトウェアを形成するために現在のコードセクションを用いて新しいコードセクションを配置するステップは、更新されたパッチマネージャコードセクションでパッチマネージャコードセクションを置き換えるステップを包含する。ステップ８１２において更新されたシステムソフトウェアを実行するステップは、更新されたシステムソフトウェアを実行する際に更新されたパッチマネージャコードを用いるステップを包含する。
【００５１】
一般に、ステップ８０４は、パッチマネージャコードセクションにおいてリード−ライトデータ、コードセクションアドレステーブル、およびシンボルオフセットアドレステーブルを配置するステップを包含する。次に、ステップ８０８において更新されたパッチマネージャコードセクションを受信するステップは、更新されたシンボルオフセットアドレステーブル、更新されたコードセクションアドレステーブル、および更新されたリード−ライトデータを受信するステップを包含する。本発明のいくつかの局面において、ステップ８０２において第１の複数のシンボルライブラリにシステムソフトウェアを形成するステップは、シンボルアクセサコードを形成するステップを包含し、ステップ８０４において第２の複数のコードセクションに第１の複数のシンボルライブラリを配置するステップは、パッチマネージャコードセクションにおいてシンボルアクセサコードを配置するステップを包含する。次に、さらなるステップ、ステップ８０６ａは、メモリ内の第１の位置にシンボルアクセサコードアドレスを格納する。ステップ８１２において更新されたシステムソフトウェアを実行するステップは、サブステップを含む。ステップ８１２ａは、リード−ライト揮発性メモリ（一般にＲＡＭ）に第３の複数のシンボルライブラリをロードする。パッチマネージャコードセクションにおけるシンボルライブラリが全て、リード−ライト揮発性メモリに必ずしもロードされるわけではないことが理解されるべきである。さらに、パッチマネージャコードセクションの後方の他のコードセクションにおけるシンボルライブラリは、リード−ライト揮発性メモリにロードされ得る。メモリ内の第１の位置の参照に応じて、ステップ８１２ｂは、シンボルアクセサコードにアクセスする。ステップ８１２ｃは、対応するシンボル識別子を用いて検索されるシンボルのアドレスを計算するためにシンボルアクセサを呼び出す。検索されたシンボルのアドレスを計算するためにシンボルアクセサコードを呼び出すステップは、検索されたシンボルのアドレスを計算するためにコードセクションアドレステーブルおよびシンボルオフセットアドレステーブルにアクセスするステップを包含する。ステップ８１２ｄは、ＲＡＭから第３の複数のシンボルライブラリにアクセスする。
【００５２】
概して、ステップ８０８において更新されたパッチマネージャコードセクションを受信するステップは、更新されたシンボルアクセサコードを受信するステップを包含する。ステップ８１０において更新されたパッチマネージャコードセクションでパッチマネージャコードセクションを置き換えるステップは、更新されたシンボルアクセサコードでシンボルアクセサコードを置き換えるステップを包含する。ステップ８１２において更新されたシステムソフトウェアを実行するステップは、更新されたシステムソフトウェアを実行する際に更新されたシンボルアクセサコードを用いるステップを包含する。
【００５３】
本発明のいくつかの局面は、さらなるステップを含む。ステップ８０８ｂは、更新されたシンボルアクセサコードアドレスを受信する。ステップ８０８ｃは、ファイルシステムセクションに更新されたシンボルアクセサコードアドレスを格納する。ステップ８１０ｃは、ファイルシステムセクションからの更新されたシンボルアクセサコードアドレスでメモリ内の第１の位置におけるシンボルアクセサコードアドレスを置き換える。次に、ステップ８１２において更新されたシステムソフトウェアを実行するステップは、更新されたシステムソフトウェアを実行する際に更新されたシンボルアクセサコードアドレスを用いるステップを包含する。
【００５４】
概して、ステップ８０４において第２の複数のコードセクションに第１の複数のシンボルライブラリを配置するステップは、パッチマネージャコードセクションにおいてシンボルアクセサコードアドレスを配置するステップを包含する。次に、ステップ８１０ｃにおいてファイルシステムセクションからの更新されたシンボルアクセサコードアドレスでメモリ内の第１の位置におけるシンボルアクセサコードアドレスを置き換えるステップは、更新されたパッチマネージャコードセクションにおける更新されたシンボルアクセサコードアドレスでパッチマネージャコードセクションにおけるシンボルアクセサコードアドレスを置き換えるステップを包含する。いくつかの局面において、ステップ８１２ａは、リード−ライトデータ、コードセクションアドレステーブル、シンボルオフセットアドレステーブル、パッチライブラリ、シンボルアクセサコード、およびシンボルアクセサコードアドレスをパッチマネージャコードセクションからリード−ライト揮発性メモリにロードする。ステップ８１２ｄは、リード−ライト揮発性メモリから、リード−ライトデータ、コードセクションアドレステーブル、シンボルオフセットアドレステーブル、パッチライブラリ、シンボルアクセサコード、およびシンボルアクセサコードアドレスにアクセスする。
【００５５】
ステップ８０６において対応する開始アドレスにコードセクションの開始点を格納するステップは、サブステップを含む。ステップ８０６ｂは、第２の複数の連続してアドレスされたメモリブロックを生成する。ステップ８０６ｃは、対応するコードセクションと各メモリブロックとを識別する。ステップ８０６ｄは、識別されたメモリブロックにコードセクションを格納する。
【００５６】
いくつかの局面において、ステップ８０４において第２の複数のコードセクションに第１の複数のシンボルライブラリを配置するステップは、第１のコードセクションにおいて第３の複数のシンボルライブラリを配置するステップを包含する。ステップ８０６ｃにおいて対応するコードセクションと各メモリブロックとを識別するステップは、第１のコードセクションと第１のメモリブロックとを識別するステップを包含する。ステップ８０６ｄにおいて識別されたメモリブロックにおいてコードセクションを格納するステップは、第１のメモリブロックに第３の複数のシンボルライブラリを格納するステップを包含する。ステップ８０８において新しいコードセクションを受信するステップは、内部に第３の複数のシンボルライブラリが配置される更新された第１のコードセクションを受信するステップを包含する。次に、ステップ８１０において無線デバイスのための更新されたシステムソフトウェアを形成するために現在のコードセクションを用いて新しいコードセクションを配置するステップは、更新された第１のコードセクションを用いて第１のメモリブロックの第１のコードセクションを上書きするステップを包含する。
【００５７】
別の局面において、ステップ８０４において第２の複数のコードセクションに第１の複数のシンボルライブラリを配置するステップは、第１のコードセクションに第１のシンボルライブラリを配置するステップを包含する。ステップ８０６ｃにおいて対応するコードセクションと各メモリブロックとを識別するステップは、第１のコードセクションと第１のメモリブロックとを識別するステップを包含する。ステップ８０６ｄにおいて識別されたメモリブロックにコードセクションを格納するステップは、第１のメモリブロックに第１のシンボルライブラリを格納するステップを包含する。ステップ８０８において新しいコードセクションを受信するステップは、内部に第１のシンボルライブラリが配置される更新された第１のコードセクションを受信するステップを包含する。次に、ステップ８１０において無線デバイスの更新されたシステムソフトウェアを形成するために現在のコードセクションを用いて新しいコードセクションを配置するステップは、更新された第１のコードセクションを用いて第１のメモリブロックの第１のコードセクションを上書きするステップを包含する。
【００５８】
ステップ８０４の第１の複数のシンボルライブラリを第２の複数のコードセクションへ配置するステップは、配置されるシンボルライブラリを収容するようにコードセクションをサイズ合わせするステップを包含する。次いで、ステップ８０６ｂの第２の複数の連続してアドレスされるメモリブロックを生成するステップは、対応するコードセクションを収容するためにメモリブロックをサイズ合わせすることを含む。もしくは、ステップ８０４の第１の複数のシンボルライブラリを第２の複数のコードセクションへ配置するステップは、配置されるシンボルライブラリよりも大きいサイズを収容するようにコードセクションをサイズ合わせするステップを包含する。
【００５９】
無線通信デバイスにおいて利用するための更新可能なシステムソフトウェア構造のためのシステムおよび方法が、提供された。本システムは、メモリにおけるコードセクションの開始アドレスおよびシンボルライブラリのシンボルのオフセットアドレスとアクセスするためのテーブルにより、コードセクションにおけるシンボルライブラリの配置のために、容易に更新可能である。これらのライブラリ配置および相互参照テーブルのいくつかの例が、ディスプレイ機能のために与えられたが、本発明は、これらの例だけに制限されない。当業者には、本発明の他の改変および実施形態が思い至る。
【図面の簡単な説明】
【００６０】
【図１】図１は、無線デバイスソフトウェアメンテナンスシステム全体の概略的なブロック図である。
【図２】図２は、エアリンクインターフェースを介して命令セットのインストールをハイライトする、ソフトウェアメンテナンスシステムの概略的なブロック図である。
【図３】図３は、無線通信デバイスにおける利用のための、本発明の現場更新可能なシステムソフトウェア構造の概略的なブロック図である。
【図４】図４は、無線デバイスメモリの概略的ブロック図である。
【図５】図５は、図３のコードセクションアドレステーブルを示すテーブルである。
【図６】図６は、シンボルを有する、図３のシンボルライブラリの詳細な図である。
【図７】図７は、図３のシンボルオフセットアドレステーブルを示すテーブルである。
【図８ａ】図８ａは、無線通信デバイスにおいてシステムソフトウェアを更新する本発明の方法を示すフローチャートである。
【図８ｂ】図８ｂは、無線通信デバイスにおいてシステムソフトウェアを更新する本発明の方法を示すフローチャートである。
【図８ｃ】図８ｃは、無線通信デバイスにおいてシステムソフトウェアを更新する本発明の方法を示すフローチャートである。
【図１】
2004537123.tif 000004
【図２】
2004537123.tif 000005
【図３】
2004537123.tif 000006
【図４】
2004537123.tif 000007
【図５】
2004537123.tif 000008
【図６】
2004537123.tif 000009
【図７】
2004537123.tif 000010
【図８ａ】
2004537123.tif 000011
【図８ｂ】
2004537123.tif 000012
【図８ｃ】
2004537123.tif 000013
【国際公開パンフレット】
2004537123.tif 000014
2004537123.tif 000015
2004537123.tif 000016
2004537123.tif 000017
2004537123.tif 000018
2004537123.tif 000019
2004537123.tif 000020
2004537123.tif 000021
2004537123.tif 000022
2004537123.tif 000023
2004537123.tif 000024
2004537123.tif 000025
2004537123.tif 000026
2004537123.tif 000027
2004537123.tif 000028
2004537123.tif 000029
2004537123.tif 000030
2004537123.tif 000031
2004537123.tif 000032
2004537123.tif 000033
2004537123.tif 000034
2004537123.tif 000035
2004537123.tif 000036
2004537123.tif 000037
2004537123.tif 000038
2004537123.tif 000039
2004537123.tif 000040
2004537123.tif 000041
2004537123.tif 000042
2004537123.tif 000043
2004537123.tif 000044
2004537123.tif 000045
2004537123.tif 000046
2004537123.tif 000047
2004537123.tif 000048
2004537123.tif 000049
2004537123.tif 000050
2004537123.tif 000051
2004537123.tif 000052
2004537123.tif 000053
2004537123.tif 000054
【国際公開パンフレット（コレクトバージョン）】
2004537123.tif 000055
2004537123.tif 000056
【国際調査報告】
2004537123.tif 000057
2004537123.tif 000058